(57)【要約】【課題】  配管カバーの取り付け箇所の汚れ等で美感が害される問題を解消でき、掃除の必要性を減らし、また配管のメンテナンス作業を容易化できるよう、カバーの取り付け取り外しを、簡単且つ迅速にできるようにする。【解決手段】  浴室その他の衛生設備室の内壁面１に、引っ掛け用の支持具４を室内側に突き出して設ける。この支持具４に引っ掛けて係合させる係合部６を、支持具４に対応する配管カバー２の内側位置に設ける。配管カバー２を支持具４に引っ掛けて内壁面１に取り付ける。【選択図】      図１
2008237632.tif 000002
【特許請求の範囲】
【請求項１】
浴室その他の衛生設備室の内壁面に取り付けられる配管カバーの取付構造であって、上記の内壁面に引っ掛け用の支持具が室内側に突き出されて設けられ、この支持具に引っ掛けて係合させる係合部が支持具に対応する配管カバーの内側位置に設けられ、配管カバーが支持具に引っ掛けられて内壁面に取り付けられることを特徴とする配管カバーの取付構造。
【請求項２】
請求項１記載の配管カバーの取付構造であって、支持具が、内壁面に左右一対状に、且つ上下方向に複数段状に設けられ、係合部が、支持具に対応して配管カバーの両側に線対称状に設けられていることを特徴とする配管カバーの取付構造。
【請求項３】
請求項１又は２記載の配管カバーの取付構造であって、支持具が、平行状に対向する前後一対の前板部と後板部、及びこの前板部と後板部を接続する径の縮小された丸軸部とでスプール状に形成され、係合部が、上記の丸軸部に上から係合する逆Ｕ字形の切り欠き孔に形成されていることを特徴とする配管カバーの取付構造。
【請求項４】
請求項３記載の配管カバーの取付構造であって、係合部の近傍の配管カバーの裏面位置に、配管カバーを内壁面に密着させる弾性質の止水部材が設けられていることを特徴とする配管カバーの取付構造。
【発明の詳細な説明】
【技術分野】
【０００１】
本発明は配管カバーの取付構造に関し、更に詳しくは浴室やシャワー室等の衛生設備室の内壁面に取り付ける配管カバーの取付構造に関するものである。
【背景技術】
【０００２】
従来この種の取付構造としては、例えば室内の所定位置に支持部材を設け、この支持部材にカバーをネジ止めしているものがある（例えば特許文献１参照）。
【０００３】
而して特許文献１に記載の従来例の場合は、カバーのネジ止め箇所がカバーの前面等に露出していた。従ってこの従来例によると、ネジ止め箇所等がカビ等で汚れ易く、カバー周りの美感が損なわれ易い、という問題点があった。
またこの従来構造は、壁に支持部材を取り付けた後、支持部材の所定位置にカバーをネジ止めする必要があった。
従ってこれによると、カバーの取り付けや取り外しに工具が必要になり、手間暇がかかり易かったから、配管のメンテナンス作業を、簡単、迅速にできない、という問題点があった。
【特許文献１】実開平６−２７７号公報
【発明の開示】
【発明が解決しようとする課題】
【０００４】
本発明は、このような従来構造の問題点に鑑み、提案されたものである。
従って本発明の解決しようとする技術的課題は、配管カバーの取り付け箇所の汚れ等で美感が害される問題を解消でき、掃除の必要性を減らし、また配管のメンテナンス作業を容易化できるよう、カバーの取り付け取り外しを、簡単且つ迅速にできるよう形成した配管カバーの取付構造を提供することにある。
【課題を解決するための手段】
【０００５】
本発明は、上記の課題を解決するため、次のような技術的手段を採る。
即ち本発明は、図１等に示されるように、浴室その他の衛生設備室の内壁面１に取り付けられる配管カバー２の取付構造であって、上記の内壁面１に引っ掛け用の支持具４が室内側に突き出されて設けられ、この支持具４に引っ掛けて係合させる係合部６が支持具４に対応する配管カバー２の内側位置に設けられ、配管カバー２が支持具４に引っ掛けられて内壁面１に取り付けられることを特徴とする（請求項１）。
【０００６】
本発明の場合、支持具４と係合部６との係合構造は任意である。係合部６は、支持具４との係合箇所が、例えば逆Ｕ字形の切り欠き孔６ａや、上下方向に延びる長孔等に形成されることで実現される。なお衛生設備室としては、浴室のほか、洗面室、脱衣室、シャワー室、トイレットルームなどがある。
【０００７】
而して本発明は、支持具４が、内壁面１に左右一対状に、且つ上下方向に複数段状に設けられ、係合部６が、支持具４に対応して配管カバー２の両側に線対称状に設けられているのが好ましい（請求項２）。
なぜならこれによると、支持具４と係合部６が縦方向に揃っているため、支持具４に係合部６の位置を合わせ易くなり、また左右のバランスが良い安定した状態で配管カバー２を取り付けることができるからである。
【０００８】
また本発明は、支持具４が、平行状に対向する前後一対の前板部４ａと後板部４ｂ、及びこの前板部４ａと後板部４ｂを接続する径の縮小された丸軸部４ｃとでスプール状に形成され、係合部６が、上記の丸軸部４ｃに上から係合する逆Ｕ字形の切り欠き孔６ａに形成されているのが好ましい（請求項３）。
なぜならこれによると、配管カバー２を引き摺り下ろすことで、係合部６を支持具４に、簡単、迅速に、且つ円滑に係合させて引っ掛けることができるからである。またこれによると、係合部６を支持具４の前板部４ａと後板部４ｂの間に挟み込ませて安定した状態で支持具４に係合させることができるからである。
【０００９】
またこの本発明の場合は、係合部６の近傍の配管カバー２の裏面位置に、配管カバー２を内壁面１に密着させる弾性質の止水部材７が設けられているのが好ましい（請求項４）。
なぜならこれによると、配管カバー２を止水部材７の復元力で支持具４の前板部４ａに圧着させることができ、止水部材７で止水性を得られるだけではなく、配管カバー２を、ぐらつかせることなく、安定した状態でしっかりと取り付けることができるからである。なおここで、弾性質の止水部材７としては、例えば合成ゴムやエラストマー製のゴムパッキンなどがある。
【発明の効果】
【００１０】
本発明は、このように構成されているから、配管カバーによって配管と共に、配管カバーの取り付け箇所を隠すことができる。
従ってこれによれば、配管カバーの取り付け箇所が汚れることを防止でき、この箇所の掃除の頻度を低減でき、またこの箇所の汚れによって美感が害されることがない。
また本発明は、上記の通り、配管カバーを支持具に引っ掛けて取り付ける構造である。
従って本発明の場合は、配管カバーの取り付け取り外し作業を、工具を伴なうことなく、簡単、迅速にできるから、これによれば、配管のメンテナンス作業を容易化できる。
【発明を実施するための最良の形態】
【００１１】
以下、本発明を実施するための最良の形態を説明する。
本発明は、図１等に示されるように、浴室その他の衛生設備室の内壁面１に取り付けられる配管カバー２の取付構造である。３は、配管カバー２で覆われて隠される給水、給湯用の配管である。配管カバー２は、この実施形態では内面に補強リブ２ａ（図２、図４等参照）が設けられ、側面部２ｂの後端が内方に折り返されて折り返し辺部２ｃに形成されている。
【００１２】
４は、引っ掛け用の支持具である。この支持具４は、衛生設備室の内壁面１に、室内側に突き出されて設けられる。またこの支持具４は、この実施形態では平行状に対向する前後一対の円形状の前板部４ａと後板部４ｂ、及びこの前板部４ａと後板部４ｂを同心状に接続する径の縮小された筒状の丸軸部４ｃとで、スプール状に形成されている。この場合、前板部４ａと後板部４ｂの間隔（丸軸部４ｃの長さ）は、後述する係合部６を差し込むための僅かなクライアンスを有して係合部６の厚さとほぼ合致する状態に選定されている。
【００１３】
５は、支持具４を内壁面１に固定するためのネジ等の固定手段である。この実施形態の場合、支持具４は、後板部４ｂの裏面が内壁面１に当接され、固定手段５としてのネジが前方から丸軸部４ｃの軸内に差し入れられ、内壁面１にネジ止めされている。また支持具４は、この実施形態では図２に示されるように、内壁面１に、左右一対状に、且つ上下方向に２段状に、計４個設けられている。
【００１４】
６は、支持具４に引っ掛けて係合させる係合部である。この係合部６は、この実施形態では板片状に形成されると共に、逆Ｕ字形の切り欠き孔６ａが形成されることにより実現されている。切り欠き孔６ａの横幅（径）は、支持具４の丸軸部４ｃに係合するよう、丸軸部４ｃの径に合わされている。また係合部６は、図２、図４に示されるように、支持具４に対応して配管カバー２の両側の内側位置である折り返し辺部２ｃに、線対称状に、左右一対、且つ上下２段状に設けられている。
【００１５】
７は、弾性質の止水部材としてのゴムパッキンである。この止水部材７は、この実施形態では配管カバー２の両側の折り返し辺部２ｃの裏面に、配管カバー２の縦方向の全長にわたって貼り付けられている。本発明の場合、配管カバー２が支持具４に引っ掛けられて内壁面１に取り付けられると、止水部材７が内壁面１に密着するため、配管カバー２の両側部が止水される。また係合部６は、止水部材７の復元力で支持具４の前板部４ａに押し付けられる。従ってこの実施形態の本発明によると、配管カバー２を、支持具４にしっかりと取り付けることができる。
【００１６】
次にこの実施形態に係る本発明の施工例を説明する。
先ず作業者は、内壁面１の所定位置に支持具４をネジ等の固定手段５で、左右一対状に、且つ上下２段状に固定する。次に作業者は、配管カバー２を持ち上げ、支持具４の丸軸部４ｃに、係合部６の逆Ｕ字形の切り欠き孔６ａを合わせて配管カバー２を引き摺り降ろす。
【００１７】
これにより配管３が配管カバー２で覆われ、配管カバー２は内壁面１に止水部材７により密着状に取り付けられる。またこの場合、係合部６は、支持具４の前板部４ａと後板部４ｂの間に挟み込まれて前板部４ａと後板部４ｂで挟持されるため、配管カバー２は安定した状態で支持具４に係合される。また係合部６は、止水部材７の復元力で前方に押されて前板部４ａに押し付けられる。従ってこれによると、配管カバー２は、ぐらつくことなく、しっかりと内壁面１に取り付けられる。
なお配管カバー２を取り外すときは、配管カバー２を持ち上げ、支持具４から係合部６を抜き取り、係合状態を解除すれば良い。従って本発明によれば、配管カバー２を、簡単、迅速に取り外し、取り付けできるから、配管３のメンテナンス作業を容易化できる。
【００１８】
以上の処において、本発明の場合、上記の支持具４及び係合部６の構成、個数、配設位置等は、上例に限定されるものではない。即ち本発明は、要は、配管カバー２を支持具４に引っ掛けて係合させることができる状態であれば、支持具４や係合部６の形状等は任意である。
【図面の簡単な説明】
【００１９】
【図１】本発明の取付構造の好適な一実施形態を示す要部斜視図である。
【図２】配管カバーの取付例を示す要部正面図である。
【図３】配管カバーの取付例を示す要部平面図である。
【図４】配管カバーを裏側から見た斜視図である。
【図５】同上取付構造の上から見た要部断面図である。
【図６】図５のＶＩ−ＶＩ線における要部断面図である。
【符号の説明】
【００２０】
１      内壁面
２      配管カバー
３      配管
４      支持具
５      固定手段
６      係合部
７      止水部材
【図１】
2008237632.tif 000003
【図２】
2008237632.tif 000004
【図３】
2008237632.tif 000005
【図４】
2008237632.tif 000006
【図５】
2008237632.tif 000007
【図６】
2008237632.tif 000008